(57)【特許請求の範囲】
【請求項１】
内奥部に化粧料を収納し開口部内に嵌合部を有する蓋体と、前記化粧料を塗布する発泡体で形成された塗布体を繰り出し可能に内装し前記蓋体と嵌脱可能に嵌合する本体とを備えて成り、前記本体には、前記塗布体を装着し周壁に螺合突起を突設した昇降筒と、前記昇降筒を昇降自在に内装し前記螺合突起が貫通するガイド溝がスリーブに穿設され頸部に前記蓋体の嵌合部と嵌合機構を構成する嵌合部を設けた中筒と、前記中筒と回動可能に外嵌し内壁に前記螺合突起が螺合する螺旋溝を螺設した外筒とを有して前記塗布体の繰り出し機構が構成されており、前記本体の繰り出し機構の作動時における回転抵抗力よりも前記蓋体と本体との嵌合時における嵌合機構の回転抵抗力を大きく設定した化粧料容器において、前記嵌合機構が、蓋体に設けたボスと、前記ボスが係合する本体の中筒に刻設したＬ字状ネジとから構成され、前記Ｌ字状ネジには前記ボスを上方へガイドするガイド傾斜部と前記ボスを掛止する乗り越えリブが形成されていることを特徴とする化粧料容器。
【発明の詳細な説明】
【技術分野】
【０００１】
本発明は、プレストパウダーやリキッドファンデーションなど微粒子粉体化粧料を固めて成る化粧料を塗布体とともに収納し、容器内から塗布体を取り出すと化粧料が付着していて、そのまま迅速に化粧ができる携帯に便利な棒状の化粧料容器に関する。
【背景技術】
【０００２】
この手の棒状の化粧料容器として、例えば、実開昭５５−１３３９０８号公報には、スポンジの如き塗布体を棒状の容器内において化粧料と密接した状態に収納しておき、塗布体を容器本体内から引き出すと、そのままの状態で迅速に化粧ができる携帯と化粧とに便利なものが提案されている。
【０００３】
上記従来の化粧料容器にあっては、化粧料を収容したホルダーは、容器本体内の螺子のリードに従って螺動可能であるとともに弾性体の反発力によって容器本体の開口部に接近した位置に存在する構成となっている。
【０００４】
塗布体を弾性体の反発力に抗して開口部から容器本体内に挿入していくと、塗布体が化粧料を介してホルダーを圧迫するので、ホルダーは螺動しながら後退し、塗布体の表面に化粧料が塗布される。また、塗布体を容器本体内に収納した状態から引き出すと、弾性体の反発力で塗布体に化粧料が密接した状態で、ホルダーが開口部の方向に移動し、引き出すときにも塗布体の表面に化粧料が塗布されるようになっている。したがって、容器本体から塗布体を取り出すと確実に化粧料が付着していて、その状態のまま直ちに化粧ができるという特徴を備えている。
【特許文献１】実開昭５５−１３３９０８号公報
【発明の開示】
【発明が解決しようとする課題】
【０００５】
しかしながら、上記従来の化粧料容器にあっては、容器内に収納された塗布体が弾性体の反発力によりホルダーによって常時化粧料に押圧された状態にあるため、塗布体が変形したり、化粧料に塗布体が埋没したり、塗布体で化粧料を押し固めたりする欠点を有している。
【０００６】
本発明は、上記の問題に鑑みてなされたもので、塗布体や化粧料を損なうことなく携帯でき、使用時には化粧料が付着した塗布体が繰り出せる化粧料容器にすることにある。
【課題を解決するための手段】
【０００７】
本発明は、内奥部に化粧料を収納し開口部内に嵌合部を有する蓋体と、前記化粧料を塗布する発泡体で形成された塗布体を繰り出し可能に内装し前記蓋体と嵌脱可能に嵌合する本体とを備えて成り、前記本体には、前記塗布体を装着し周壁に螺合突起を突設した昇降筒と、前記昇降筒を昇降自在に内装し前記螺合突起が貫通するガイド溝がスリーブに穿設され頸部に前記蓋体の嵌合部と嵌合機構を構成する嵌合部を設けた中筒と、前記中筒と回動可能に外嵌し内壁に前記螺合突起が螺合する螺旋溝を螺設した外筒とを有して前記塗布体の繰り出し機構が構成されており、前記本体の繰り出し機構の作動時における回転抵抗力よりも前記蓋体と本体との嵌合時における嵌合機構の回転抵抗力を大きく設定したことを特徴としている。
【０００８】
上記の構成としたことにより、携帯時には化粧料と塗布体は非密接状態に維持される。そして蓋体と本体を把持して塗布体が昇動する回転方向へ相互回転させると、蓋体のガイド部で案内された塗布体の先端部が化粧料に圧接して化粧料が付着すると共に中筒の回転が阻止される。更に回転操作を続けることにより、蓋体と本体との嵌合が確実に解除され、蓋体と本体を離脱させて、直ちに化粧可能となる。
【０００９】
また、前記嵌合機構は、蓋体に設けた雌ネジと、前記雌ネジと螺合する本体の中筒に設けた雄ネジで構成することが好ましく、蓋体を閉めるときには化粧料の粉末が噴出することなく閉蓋でき、嵌合時には気密性の高いものとすることができる。
【００１０】
また、前記嵌合機構が、蓋体に設けたボスと、前記ボスが係合する本体の中筒に刻設したＬ字状ネジとから構成され、前記Ｌ字状ネジには前記ボスを上方へガイドするガイド傾斜部と前記ボスを係止する乗り越えリブが形成された機構としてもよく、蓋体と本体の嵌脱を簡便に行うことができる。
【００１１】
また、前記嵌合機構を、蓋体と本体とのアンダーカット嵌合と前記アンダーカット嵌合を解除するカム機構とで構成してもよく、蓋体と本体の嵌脱を簡便に行うことができる。
【００１２】
蓋体内に中皿をリフィル可能に装填する構成としてもよい。
【００１３】
また、蓋体を、化粧料を充填した天蓋部材と胴部材とをアンダーカット係合して構成してもよい。
【発明の効果】
【００１４】
本発明の化粧料容器によれば、携帯時には化粧料と発泡体で形成された塗布体とは容器内で非密接状態に維持され、蓋体と本体を把持して塗布体の繰り出し方向に相互回転させることにより塗布体に化粧料が付着すると共に、更なる回転操作で蓋体と本体とが確実に離脱するようにしたので、塗布体や化粧料を損なうことなく携帯でき、使用時には化粧料が付着した塗布体で迅速に化粧をすることができる。
【発明を実施するための最良の形態】
【００１５】
以下、本発明の化粧料容器の好適な実施の形態を添付図面を参照しながら説明すると、図１乃至図５は、本発明の第１の実施の形態を示しており、内奥部に化粧料２を収納し開口部３内に嵌合部を有する蓋体１と、前記化粧料２を塗布する塗布体１１を繰り出し可能に内装し前記蓋体１と嵌脱可能に嵌合する本体１０とを備えて構成されている。
【００１６】
蓋体１は、有頂筒状に形成され、開口部３の内壁には本体１０との嵌合機構３ａを構成する雌ネジ５が刻設されている。この蓋体１の内奥部には中皿４に充填されたプレストパウダーからなる化粧料２が挿着されている。
【００１７】
本体１０は、  塗布体１１を装着し外周壁に一対の螺合突起１３、１３を突設した昇降筒１４と、この昇降筒１４を昇降自在に内装する中筒１５と、この中筒１５と回動可能に外嵌する有底の外筒２５とで構成されている。
【００１８】
塗布体１１は、ウレタン、ニトリルブタジエンラバー、ニトリルラバー等の発泡体で形成されており、化粧料２が浸透しない独立発泡体であることが好ましい。この塗布体１１は、その取付部１１ａで筒状の金具１２に接着またはカシメにより固定されており、金具１２が昇降筒１４に挿入固定されている。尚、塗布体１１を洗浄したり、交換可能とするために、金具１２を昇降筒１２に嵌脱可能としてもよい。
【００１９】
中筒１５は、その下方のスリーブ１６に昇降筒１４の螺合突起１３、１３が貫通する一対の縦長のガイド溝２１、２１が穿設され、ガイド溝２１、２１の上下両端部には横方向のストッパ溝２１ａ、２１ｂが連通して設けられている。また、中筒１５の頸部１７外周には蓋体１の雌ネジ５と嵌合して嵌合機構３ａを構成する雄ネジ１８が螺設され、雄ネジ１８の基端にはフランジ１９が形成されており、該フランジ１９の下方には外筒２５と回転自在にアンダーカット嵌合する外向きの突条２０が突設されている。
【００２０】
外筒２５は、その内壁に前記スリーブ１６のガイド溝２１、２１を貫通して螺合突起１３、１３が螺合するリードの長い螺旋溝２６が凹設されている。また、開口の内壁には、中筒１５の突条２０と回動自在にアンダーカット嵌合する周溝２７が凹設されている。この外筒２５と前記中筒２０と昇降筒１４とで本体１０における塗布体１１の繰り出し機構が構成されいる。
【００２１】
この本体１０に組み付けられた塗布体１１の繰り出し機構における回転作動時の回転抵抗力は、蓋体１と本体１０との嵌合時におけるネジ嵌合の回転抵抗力よりも小さく設定してある。即ち、蓋体１と本体１０との螺子嵌合における螺子のリードは塗布体１１の繰り出し機構における螺旋溝２６のリードよりも小さいことから、閉蓋した際の蓋体１と本体１０の当接面における接触抵抗力が繰り出し機構の回転抵抗力よりも強くなり、開蓋操作をすると必ず回転抵抗力の小さい繰り出し機構から作動する。
【００２２】
以上のように構成された化粧料容器は、蓋体１と本体１０を把持して塗布体１１が昇動する回転方向へ相互回転させると、蓋体１の回転と共に中筒１５が外筒２５と相互回転することにより昇降筒１４が昇動する。そして、図３に示すように、塗布体１１の先端面が化粧料２に圧接し、塗布体１１に化粧料２が付着すると共に中筒１５の回転が阻止される。
【００２３】
更に蓋体１を塗布体１１の昇動方向へ回転を続けることで、図４に示すように、蓋体１と本体１０とのネジ嵌合に解除方向の回転力が働いてネジ嵌合が緩み、蓋体１が上昇してネジ嵌合が解除される。従って、蓋体１を無理なく本体１０から離脱させることが可能となり、蓋体１と本体１０とを相互回転させる同一方向の一連の操作で塗布体１１に化粧料２を付着させ且つ蓋体１を取り外すことができる。
【００２４】
そして、図５に示すように、蓋体１を取り外した後、更に塗布体１１を繰り出すことにより、化粧料を付着した塗布体１１は化粧のし易い状態に中筒１５から完全に露出する。
【００２５】
化粧後、閉蓋するときは、中筒１５の頸部１７を把持し昇降筒１４の降動方向へ外筒２５と相互回転させて塗布体１１を本体１０内へ収納し、蓋体１を本体１０の頸部１７へネジ締めする。
【００２６】
したがって、携帯時には、化粧料２と塗布体１１は非接触状態に維持されることから、塗布体１１が変形したり塗布体１１で化粧料２が押し固められたりして損傷することがない。また、本実施の形態では、蓋体１と本体１０とをネジ嵌合としたので、係合が確実であり、フランジ１９の上面にパッキンなどを用いれば粉漏れ等のない気密性の高い携帯容器とすることが可能である。
【００２７】
図６乃至図１１は、それぞれ本発明に係る化粧料容器の別の実施の形態を示しており、図において、先の実施の形態と共通する部分については同一符号を付しその説明を省略する。
【００２８】
図６に示す本実施の形態の化粧料容器は、蓋体１と本体１０の嵌合機構が、蓋体１の開口部３内に対向して設けた一対のボス３０と、このボス３０が係合する本体１０における中筒１５の頚部１７外周面に刻設したＬ字状ネジ３１とから構成されている。
【００２９】
このＬ字状ネジ３１には、蓋体１を閉めたときボス３０をＬ字状ネジ３１に誘導する誘導部３２と、蓋体１を開くときボス３０を上方へガイドするガイド傾斜部３３と、ボス３０をＬ字状ネジ３１の内奥部３４に掛止する乗り越えリブ３５とが形成されている。
【００３０】
蓋体１をネジ閉めると、Ｌ字状ネジ３１に誘導されたボス３０は乗り越えリブ３５を乗り越えて内奥部３４に掛止する。蓋体１と本体１０を把持して塗布体１１が昇動する回転方向へ相互回転させると、塗布体１１の繰り出し機構における回転作動時の回転抵抗力は、蓋体１のボス３０が中筒１５の内奥部３４で掛止している蓋体１と本体１０との嵌合時におけるネジ嵌合の回転抵抗力よりも小さく設定してあることから、蓋体１の回転と共に中筒１５が外筒２５と相互回転して昇降筒１４が昇動し、塗布体１１の先端が化粧料２に当接して化粧料２が付着すると共に中筒１５の回転が阻止される。
【００３１】
更に回転を続けると、ボス３０は乗り越えリブ３５を乗り越えガイド傾斜部３３によって上方へガイドされ、蓋体１のネジ嵌合が解除される。Ｌ字状ネジ３１のリードが短いことから、蓋体１と本体１０との嵌脱を簡便に行うことができる。
【００３２】
尚、Ｌ字状ネジ３１のガイド傾斜部３３の上方に垂直部３６を設けると、垂直部３６の部分では蓋体１を塗布体１１の弾性的な撓みで押し上げることになるので、垂直部３６の距離の大きさで塗布体１１への化粧料の付着具合を調整することができる。従って、化粧料２の用方に合わせて、適宜距離の垂直部３６を設けるとよい。
【００３３】
図７乃至図８は、更に蓋体１と本体１０の別の嵌合機構３ａを有する実施の形態を示している。この嵌合機構は、蓋体１の開口部３の内壁に周設された凹溝６に中筒１５の頸部１７の外周面に周設された突起２２がアンダーカット嵌合する係止構造と、蓋体１０の凹溝６の下方に突設された一対のカム部７、７が中筒１５のフランジ１９の上面に突設された乗り上げ突起２３、２３に乗り上げて蓋体１を上昇させて前記アンダーカット嵌合を解除するカム機構とで構成されている。
【００３４】
本実施の形態にあっても、塗布体１１の繰り出し機構における回転抵抗力は、アンダーカットによる嵌合機構３ａにおける嵌合解除用のカム機構の回転抵抗力よりも小さく設定してある。即ち、アンダーカット嵌合を解除する際の抵抗がカム部７の回動の抵抗力となる為、開蓋操作をすると必ず回転抵抗力の小さい繰り出し機構から作動する。従って、塗布体１１を昇動操作すると、塗布体１１の先端が化粧料２に当接して化粧料２が付着すると共に中筒１５の回転が阻止される。
【００３５】
そして、更に回転を続けると、図８に示すように、蓋体１のカム部７が本体１０における乗り上げ突起２３の傾斜面２３ａに乗り上げ蓋体１を上昇させて蓋体１と本体１０とのアンダーカット嵌合を解除し、簡単に蓋体１を取り外すことができる。
【００３６】
化粧後、閉蓋するときは、塗布体１１を本体１０内へ収納後、被せた蓋体１を本体１０へ押圧してアンダーカット嵌合する。乗り上げ突起２３の傾斜面２３ａの反対側は垂直面２３ｂとなっていて蓋体１を繰り出し方向と逆方向に回転させないようにしてある。本実施の形態では、以上のように、嵌合機構３ａを蓋体１と本体１０とのアンダーカット嵌合と、アンダーカット嵌合を解除するカム機構とで構成したので、蓋体１と本体１０との嵌脱を極めて簡便に行うことができる。
【００３７】
図９は、蓋体１に収納する化粧料２を粉体化粧料とした場合の例を示しており、蓋体１の上部を嵌脱可能な別部材のカートリッジ８とし、このカートリッジ８に粉体化粧料２を充填後、枠体４０に張設されたメッシュ４１を移動可能に挿入して粉体化粧料２を蓋体１の奥部に保持するようにしたものである。
【００３８】
蓋体１をこのような構成とすることにより、粉体化粧料２をコンパクトに携帯でき、蓋体１と本体１０を嵌着したまま塗布具１１を繰り出してメッシュ３１を介して塗布具１に粉体化粧料２の付着を可能とし、且つ粉体化粧料２を最後まで使い切るとカートリッジ８を新しいものと交換して使うことができる。
【００３９】
また、図１０は、中皿４をリフィール可能とした蓋体１の例を示している。この蓋体１は、内周壁に上向き段部４３ａを設けた胴部材４３と、胴部材４３の上部にネジ嵌合する天蓋部材４４とからなり、中皿４を上向き段部４３ａに当接させてリフィール可能に装填している。この構成とすることにより、中皿４を簡単に交換して多様なタイプの化粧料１１を使用することができる。
【００４０】
図１１は、別の蓋体１の構成を示しており、この蓋体１は、内周壁に上向き段部４３ａを設けた胴部材４３と化粧料２が充填された天蓋部材４４とからなり、天蓋部材４４のスリーブ４４ａの先端面を上向き段部４３ａに当接させ、アンダーカット嵌合４５により一体化したものである。上記の構成とすることにより、蓋体１への化粧料２の組み付け作業を迅速に行うことができる。
【００４１】
図１２は、蓋体１と本体１０とのアンダーカット嵌合５２による嵌合機構３ａを解除する別の解除機構５０を示すものであり、蓋体１の内壁には閉蓋状態において中筒１５の上部外周壁と圧接する複数の縦リブ５１が設けられている。
【００４２】
本実施の形態にあっても、縦リブ５１による蓋体１と本体１０との回転抵抗力よりも塗布体１１の繰り出し機構における回転抵抗力を小さく設定してあることから、繰り出し操作をすると、塗布体１１が上昇して化粧料２を介して蓋体１を押し上げ、アンダーカット嵌合５２を解除する共に蓋体１のリブ係合も外れ、蓋体１を無理なく本体１０から離脱させることができる。
【図面の簡単な説明】
【００４３】
【図１】本発明の化粧料容器の第１の実施の形態を示す断面図。
【図２】図１の容器の分解斜視図。
【図３】図１の容器の作動状態を示す断面図。
【図４】図１の容器の作動を更に進めた状態を示す断面図。
【図５】図１の容器の繰り出しが完了した状態を示す断面図。
【図６】本発明の化粧料容器の別の実施の形態を示す説明図。
【図７】本発明の化粧料容器の別の実施の形態を示す断面図。
【図８】図７の容器におけるカム機構の作動を示す説明図。
【図９】本発明の化粧料容器における蓋体の別の実施の形態を示す断面図。
【図１０】本発明の化粧料容器における蓋体の別の実施の形態を示す断面図。
【図１１】本発明の化粧料容器における蓋体の別の実施の形態を示す断面図。
【図１２】本発明の化粧料容器の別の実施の形態を示す断面図。
【符号の説明】
【００４４】
１    蓋体，２  化粧料，３  開口部，３ａ  嵌合機構，４  中皿，５  雌ネジ，１０  本体，１１  塗布体，１３、１３  螺合突起，１４  昇降筒，１５  中筒，１６  スリーブ，１７  頸部，１８  雄ネジ，２１  ガイド溝，２５  外筒，２６  螺旋溝，３０  ボス，３１  Ｌ字状ネジ，３３  ガイド傾斜部，３５  乗り越えリブ，４３  同部材，４４  天蓋部材，４５  アンダーカット嵌合
【図１】
0004643167.tif 000002
【図２】
0004643167.tif 000003
【図３】
0004643167.tif 000004
【図４】
0004643167.tif 000005
【図５】
0004643167.tif 000006
【図６】
0004643167.tif 000007
【図７】
0004643167.tif 000008
【図８】
0004643167.tif 000009
【図９】
0004643167.tif 000010
【図１０】
0004643167.tif 000011
【図１１】
0004643167.tif 000012
【図１２】
0004643167.tif 000013